(57)【要約】【課題】着脱自在なプロセスカートリッジを有する画像形成装置において、感光体ドラムを高精度に回転駆動することを目的とする。【解決手段】プロセスカートリッジが装置本体に装着されたときに感光体ドラム１０２ａを軸支するとともに駆動源の駆動力が伝達される感光体回転軸１２３と、感光体回転軸１２３の一方端に設けられ、回転中心軸に対して傾斜した外周歯が形成されたカップリング凸部１２３ａと、感光体ドラム１０２ａの一方端に設けられ、回転中心軸に対して傾斜するとともに嵌合時に外周歯と噛み合う内周歯が形成されてカップリング凸部１２３ａと同軸上で嵌合するカップリング凹部１２２ａとを有し、外周歯と内周歯とは、カップリング凸部１２３ａによる駆動力がカップリング凹部１２２ａに伝達された際に相互に引き寄せられる方向に傾斜している。【選択図】図４
2006084622.tif 000002
【特許請求の範囲】
【請求項１】
装置本体に対して着脱可能なプロセスカートリッジを備え、前記プロセスカートリッジに設けられた回転体を装置本体の駆動源で回転駆動する画像形成装置であって、
前記装置本体に設けられ、前記プロセスカートリッジが前記装置本体に装着されたときに前記回転体を軸支するとともに前記駆動源の駆動力が伝達される軸支手段と、
前記軸支手段の一方端に設けられ、回転中心軸に対して傾斜した外周歯が形成されたカップリング凸部と、
前記回転体の一方端に設けられ、回転中心軸に対して傾斜するとともに嵌合時に前記外周歯と噛み合う内周歯が形成されて前記カップリング凸部と同軸上で嵌合するカップリング凹部とを有し、
前記外周歯と前記内周歯とは、前記カップリング凸部による駆動力が前記カップリング凹部に伝達された際に両者が相互に引き寄せられる方向に傾斜していることを特徴とする画像形成装置。
【請求項２】
装置本体に対して着脱可能なプロセスカートリッジを備え、前記プロセスカートリッジに設けられた回転体を装置本体の駆動源で回転駆動する画像形成装置であって、
前記装置本体に設けられ、前記プロセスカートリッジが前記装置本体に装着されたときに前記回転体を軸支するとともに前記駆動源の駆動力が伝達される軸支手段と、
前記軸支手段の一方端に設けられ、回転中心軸に対して傾斜した内周歯が形成されたカップリング凹部と、
前記回転体の一方端に設けられ、回転中心軸に対して傾斜するとともに嵌合時に前記内周歯と噛み合う外周歯が形成されて前記カップリング凹部と同軸上で嵌合するカップリング凸部とを有し、
前記外周歯と前記内周歯とは、前記カップリング凹部による駆動力が前記カップリング凸部に伝達された際に両者が相互に引き寄せられる方向に傾斜していることを特徴とする画像形成装置。
【請求項３】
前記カップリング凹部の内周先端部および前記カップリング凸部の先端部少なくとも何れかには、面取りが施されていることを特徴とする請求項１または２記載の画像形成装置。
【請求項４】
前記回転体は、静電潜像が形成される感光体ドラムであることを特徴とする請求項１〜３の何れか一項に記載の画像形成装置。
【発明の詳細な説明】
【技術分野】
【０００１】
本発明は、画像形成装置に関し、特に着脱自在なプロセスカートリッジを有する画像形成装置に関するものである。
【背景技術】
【０００２】
現在のＯＡ機器市場では、レーザプリンタ等の画像形成装置から提供される記録媒体（用紙などの転写材）に形成される画像の品質向上とともに、画像形成装置それ自体のメンテナンスの容易さが求められている。
【０００３】
この画像形成装置におけるメンテナンスの容易性の要求を踏まえて、感光体ドラムや現像装置で構成されるプロセスカートリッジを使用者自身によって装置本体に対し容易に着脱可能な設計が行われている。プロセスカートリッジを装置本体から着脱可能とする場合、装置本体に設けられた駆動源であるモータの駆動力をプロセスカートリッジに伝達するために、カップリング手段が採用されている。
【０００４】
このカップリング手段を用いた駆動伝達機構の弊害として、駆動力の伝達を行う際、装置本体に設けられたカップリング凸部（または凹部）の回転中心と、プロセスカートリッジ側の感光体ドラムに設けられたカップリング凹部（または凸部）の回転中心とを一致させることが容易でないため、カップリング手段を介して回転駆動力を伝達する際に回転ムラが起こり、得られる画像の品質が劣化するということがある。そのため、様々なカップリング手段を用いた機構が提案されている。
【０００５】
ここで、感光体ドラム（回転体）上に潜像を形成し、この潜像を現像材で可視像化してその可視像を転写材に転写して画像を形成する画像形成装置において、装置本体に設けられたモータからの駆動力をカップリング手段を用いて感光体ドラムに伝達し、これを回転させる駆動伝達機構について説明する。
【０００６】
図８は、感光体ドラムと現像ローラなどの現像手段などを内包したプロセスカートリッジの駆動伝達系を模式的に示した図である。
【０００７】
図８において、感光体ドラム１はカップリング手段を介して感光体回転軸２に軸支されている。感光体ギア３は、プロセスカートリッジの側面に突出した感光体回転軸２に軸支され、駆動源のモータ(後述する)からの駆動力が伝達されることにより、感光体ドラム１を回転させる。駆動伝達部４は、感光体ギア３に間欠的に駆動力を伝達する為のものであり、遊星歯車クラッチ機構を有している。
【０００８】
現像ローラ５は、プロセスカートリッジの側面に突出した現像ローラ回転軸６にカップリング手段を介して軸支され、感光体ドラム１に当接し感光体ドラム１上に形成された潜像をトナーで現像する。現像ローラギア７は、感光体ギア３に噛み合い、感光体ギア３を介して駆動源からの駆動力の伝達を受けることにより、現像ローラ５を回転させる。変速ギア８は、駆動源からの伝達された回転数を最適な感光体ドラム１の回転数に変速する。モータピニオンギア９は、駆動伝達系を構成するものである。
【０００９】
次に、前述したカップリング手段を用いた駆動伝達の仕組みについて説明する。プロセスカートリッジを装置本体に装着すると、カートリッジ側のカップリング（感光体ドラム１、現像ローラ５）と装置本体側のカップリング（感光体回転軸２、現像ローラ回転軸６）とが嵌合する。そして、駆動源からの駆動力がモータピニオンギア９、変速ギア８およ
び駆動伝達部４を介して感光体ギア３に伝達されると、感光体ギア３と一体となってカップリング手段を持つ感光体回転軸２に駆動力が伝達されて回転する。カートリッジ装着時、感光体回転軸２のカップリングとカートリッジ側の感光体ドラム１のカップリングとが嵌合しているため、感光体回転軸２よりカートリッジ側のカップリングに駆動力が伝達され、感光体ドラム１はこのカップリングを介して装置本体駆動を受けて、回転が可能となる。
【００１０】
駆動力の伝達が行われないとき（非画像形成時）には、装置本体とプロセスカートリッジとの間の駆動伝達部４の接続が切断されており、駆動伝達がカップリングを介して行われていることから、プロセスカートリッジの装置本体からの取り出しが容易になっている。
【００１１】
ここで、（特許文献１）としての特開平１０−１０４９０５号公報には、カップリング駆動部の小型化、部品点数削減、生産性向上およびコストダウンを図り、カートリッジを取り外すときに駆動負荷を解除する機構を廃止して駆動ギヤユニットの位置決め精度を向上するために、左右に同ねじれ角で同ねじれ方向の凸部と凹部を持つ軸、凸部と嵌合するねじ穴を有する駆動ギア、凹部と嵌合するねじれた突部を備えた感光体ドラム、軸を支持する軸受及びカシメ軸、ばね、カムレバーを有し、カムレバーを引き上げると軸はねじり回り乍ら右行し、凸部と凹部が外れ、ドラム駆動ギア側の動力伝達部材が不動のままで軸継手の解除ができる構造が開示されている。この（特許文献１）に記載された技術は、感光体ドラムに回転力を伝達する構成として有効なものである。
【特許文献１】特開平１０−１０４９０５号公報
【発明の開示】
【発明が解決しようとする課題】
【００１２】
しかしながら、従来のような駆動伝達機構では、駆動源が回転してギア部材に駆動力が伝達されるとき、感光体ギアと一体となり回転する感光体回転軸のカップリングとプロセスカートリッジ側に設けられた感光体ドラムのカップリングと間のガタをなくすとともに回転中心を一致させることが難しいために感光体ドラムの回転精度が悪くなる。これにより、結果的に画像品質が悪化することになる。
【００１３】
また、（特許文献１）に記載の技術では、位置決めをより正確に行うためには軸及び穴の断面を略正三角形より略正多角形にするほうが望ましいが、多角形にするにしたがって、ガタに対して弱くなり、駆動時にすべりが起こる可能性が発生し、また駆動力に制限ができるという不具合がある。
【００１４】
そこで、本発明は、着脱自在なプロセスカートリッジを有する画像形成装置において、回転体を高精度に回転駆動することのできる技術を提供することを目的とする。
【課題を解決するための手段】
【００１５】
この課題を解決するために、本発明の画像形成装置は、装置本体に対して着脱可能なプロセスカートリッジを備え、前記プロセスカートリッジに設けられた回転体を装置本体の駆動源で回転駆動する画像形成装置であって、前記装置本体に設けられ、前記プロセスカートリッジが前記装置本体に装着されたときに前記回転体を軸支するとともに前記駆動源の駆動力が伝達される軸支手段と、前記軸支手段の一方端に設けられ、回転中心軸に対して傾斜した外周歯が形成されたカップリング凸部と、前記回転体の一方端に設けられ、回転中心軸に対して傾斜するとともに嵌合時に前記外周歯と噛み合う内周歯が形成されて前記カップリング凸部と同軸上で嵌合するカップリング凹部とを有し、前記外周歯と前記内周歯とは、前記カップリング凸部による駆動力が前記カップリング凹部に伝達された際に両者が相互に引き寄せられる方向に傾斜しているものである。
【００１６】
また、この課題を解決するために、本発明の画像形成装置は、装置本体に対して着脱可能なプロセスカートリッジを備え、前記プロセスカートリッジに設けられた回転体を装置本体の駆動源で回転駆動する画像形成装置であって、前記装置本体に設けられ、前記プロセスカートリッジが前記装置本体に装着されたときに前記回転体を軸支するとともに前記駆動源の駆動力が伝達される軸支手段と、前記軸支手段の一方端に設けられ、回転中心軸に対して傾斜した内周歯が形成されたカップリング凹部と、前記回転体の一方端に設けられ、回転中心軸に対して傾斜するとともに嵌合時に前記内周歯と噛み合う外周歯が形成されて前記カップリング凹部と同軸上で嵌合するカップリング凸部とを有し、前記外周歯と前記内周歯とは、前記カップリング凹部による駆動力が前記カップリング凸部に伝達された際に両者が相互に引き寄せられる方向に傾斜しているものである。
【００１７】
本発明の好ましい形態において、前記カップリング凹部の内周先端部および前記カップリング凸部の先端部少なくとも何れかには、面取りが施されている。
【００１８】
本発明のさらに好ましい形態において、前記回転体は、静電潜像が形成される感光体ドラムである。
【発明の効果】
【００１９】
本発明によれば、カップリング凸部の外周歯とカップリング凹部の内周歯とが噛み合って回転することにより自動的に調芯が行われて回転体の位置決めを正確に行うことができるので、回転体を高精度に回転駆動することが可能になるという有効な効果が得られる。
【００２０】
これにより、カップリング凹部とカップリング凸部との寸法精度の誤差に起因するガタツキや回転中心のずれによる回転駆動伝達不良、ひいては回転体の回転精度不良に伴う印字不良を未然に防止することができるという有効な効果が得られる。
【００２１】
また、各歯に均等に力を分担できることから、駆動力を大きくすることができるという有効な効果が得られる。
【発明を実施するための最良の形態】
【００２２】
本発明の請求項１に記載の発明は、装置本体に対して着脱可能なプロセスカートリッジを備え、プロセスカートリッジに設けられた回転体を装置本体の駆動源で回転駆動する画像形成装置であって、装置本体に設けられ、プロセスカートリッジが装置本体に装着されたときに回転体を軸支するとともに駆動源の駆動力が伝達される軸支手段と、軸支手段の一方端に設けられ、回転中心軸に対して傾斜した外周歯が形成されたカップリング凸部と、回転体の一方端に設けられ、回転中心軸に対して傾斜するとともに嵌合時に外周歯と噛み合う内周歯が形成されてカップリング凸部と同軸上で嵌合するカップリング凹部とを有し、外周歯と内周歯とは、カップリング凸部による駆動力がカップリング凹部に伝達された際に両者が相互に引き寄せられる方向に傾斜している画像形成装置であり、カップリング凸部の外周歯とカップリング凹部の内周歯とが噛み合って回転することにより自動的に調芯が行われて回転体の位置決めを正確に行うことができるので、回転体を高精度に回転駆動することが可能になるという作用を有する。
【００２３】
本発明の請求項２に記載の発明は、装置本体に対して着脱可能なプロセスカートリッジを備え、プロセスカートリッジに設けられた回転体を装置本体の駆動源で回転駆動する画像形成装置であって、装置本体に設けられ、プロセスカートリッジが装置本体に装着されたときに回転体を軸支するとともに駆動源の駆動力が伝達される軸支手段と、軸支手段の一方端に設けられ、回転中心軸に対して傾斜した内周歯が形成されたカップリング凹部と、回転体の一方端に設けられ、回転中心軸に対して傾斜するとともに嵌合時に内周歯と噛
み合う外周歯が形成されてカップリング凹部と同軸上で嵌合するカップリング凸部とを有し、外周歯と内周歯とは、カップリング凹部による駆動力がカップリング凸部に伝達された際に両者が相互に引き寄せられる方向に傾斜している画像形成装置であり、カップリング凸部の外周歯とカップリング凹部の内周歯とが噛み合って回転することにより自動的に調芯が行われて回転体の位置決めを正確に行うことができるので、回転体を高精度に回転駆動することが可能になるという作用を有する。
【００２４】
本発明の請求項３に記載の発明は、請求項１または２記載の発明において、カップリング凹部の内周先端部およびカップリング凸部の先端部少なくとも何れかには、面取りが施されている画像形成装置であり、カップリング凹部とカップリング凸部との嵌合がスムーズに行えるという作用を有する。
【００２５】
本発明の請求項４に記載の発明は、請求項１〜３の何れか一項に記載の発明において、回転体は、静電潜像が形成される感光体ドラムである画像形成装置であり、感光体ドラムを高精度に回転駆動することが可能になるという作用を有する。
【００２６】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２７】
（実施の形態１）
図１は本発明の実施の形態１である駆動伝達機構を備えた画像形成装置の構成を示す構成図、図２は本発明の実施の形態１である駆動伝達機構を備えたプロセスカートリッジの構成を示す構成図、図３は本発明の実施の形態１である駆動伝達機構を備えたプロセスカートリッジの駆動伝達系を模式的に示した図、図４は感光体ドラムに設けられたカップリング凹部と感光体回転軸に設けられたカップリング凸部との結合関係を示す説明図、図５は図４に示したカップリング凹部とカップリング凸部とが嵌合した状態を示す断面図、図６は本発明の変形例としての感光体ドラムに設けられたカップリング凸部と感光体回転軸に設けられたカップリング凹部との結合関係を示す説明図、図７は図６に示したカップリング凸部とカップリング凹部とが嵌合した状態を示す断面図である。
【００２８】
図１において、本発明の実施の形態１である駆動伝達機構を備えた画像形成装置は、各色に対応して円筒状感光体を有し、カラー画像を形成するいわゆるタンデム方式のカラー画像形成装置であるとする。
【００２９】
カラー画像形成装置の装置本体１０１内に、イエロー（Ｙ）、マゼンタ（Ｍ）、シアン（Ｃ）、ブラック（Ｋ）の各色のトナー像をそれぞれ形成するためのプロセスカートリッジ１０２，１０３，１０４，１０５がこの順に着脱可能に配置され、これらのプロセスカートリッジ１０２〜１０５それぞれに対応して露光器１０６ａ，１０６ｂ，１０６ｃ，１０６ｄを備えている。
【００３０】
図２に示すように、プロセスカートリッジ１０２〜１０５は、回転可能に設けられた像担持体としての円筒状感光体(以下、感光体ドラムという)１０２ａ，１０３ａ，１０４ａ，１０５ａと、これら感光体ドラム１０２ａ〜１０５ａを一様な電位に帯電する帯電器（帯電手段）１１５と、露光器１０６ａ〜１０６ｄからのレーザビームの照射により周面に静電潜像が形成された感光体ドラム１０２ａ〜１０５ａに対して、トナータンクから供給されるトナーを付着させて静電潜像をトナー像として顕像化する現像ローラ（現像手段）１０２ｂ，１０３ｂ，１０４ｂ，１０５ｂと、トナータンク内のトナーを撹拌するアジテータ１１６と、トナーを現像ローラ１０２ｂ〜１０５ｂへ供給するサプライローラ１１７
と、現像ローラ１０２ｂ〜１０５ｂに供給されたトナーを所定の厚みに整えるとともに摩擦により当該トナーを帯電するドクターブレード１１８と、中間転写ベルト１０７へ画像転写した後の感光体ドラム１０２ａ〜１０５ａに残留しているトナーを除去するクリーニングブレード１１９とを有している。なお、周方向に回転する感光体ドラム１０２ａ，１０３ａ，１０４ａ，１０５ａは、その回転中心軸が相互に平行になるように一列に配置されている。
【００３１】
これ以降の説明においては、プロセスカートリッジ１０２について説明する。なお、他のプロセスカートリッジ１０３〜１０５もプロセスカートリッジ１０２と同様の構成になっている。
【００３２】
図３に示すように、プロセスカートリッジ１０２の駆動伝達系において、感光体ドラム（回転体）１０２ａは、プロセスカートリッジ１０２内に、感光体ドラム１０２ａの回転軸と現像ローラ（現像手段）１０２ｂの回転軸とが平行になるように配置されている。
【００３３】
現像ローラ回転軸１０２ｃは、プロセスカートリッジの側面に突出している。現像ローラギア１０２ｄは、感光体ギア１２４に噛み合い、感光体ギア１２４介して駆動源からの駆動力の伝達を受け、現像ローラ１０２ｂを回転させる。感光体回転軸（軸支手段）１２３は、感光体ドラム１０２ａを軸支しプロセスカートリッジ１０２の側面に突出している。感光体ギア１２４は、感光体回転軸１２３に軸支され、駆動源であるモータ（図示せず）からの駆動力が伝達されることにより、感光体ドラム１０２ａを回転させる。駆動伝達部１２５は、感光体ギア１２４に間欠的に駆動力を伝達する。
【００３４】
係合部材１３４は、駆動伝達部１２５の外周に所定の間隔をあけて突出形成された係合部１３３と係合するものであり、係合部１３４ａと吸着部１３４ｂとから構成された断面略Ｖ字形状の板材で形成されている。
【００３５】
ソレノイド１３５は、係合部１３３に係合する係合部材１３４を駆動する係合部材駆動手段としての機能を果たす。そして、ソレノイド１３５への通電がＯＮのとき、係合部材１３４の吸着部１３４ｂがソレノイド１３５に吸着されることにより、係合部１３４ａが係合部１３３に係合する位置へ移動する構成となっている。
【００３６】
ここで、図４および図５を用いて、装置本体１０１からプロセスカートリッジ１０２へ駆動力を伝達するカップリング手段を用いた駆動伝達機構の構成について、詳しく説明する。
【００３７】
図４はプロセスカートリッジ側の感光体ドラム１０２ａに設けられたカップリング手段としてのカップリング凹部１２２ａと装置本体１０１の感光体回転軸１２３に設けられてカップリング凹部１２２ａと結合するカップリング手段としてのカップリング凸部１２３ａとの結合関係を示す説明図、図５は図４に示したカップリング凹部１２２ａとカップリング凸部１２３ａとが嵌合した状態を示す断面図である。
【００３８】
このようなカップリング手段を用いて駆動を伝達する機構において、プロセスカートリッジが装置本体１０１に装着されると、カートリッジ側のカップリング凹部１２２ａと、装置本体１０１側のカップリング凸部１２３ａとが相互に同軸上で嵌合し、これにより感光体ドラム１０２ａは装置本体１０１からの駆動を受けて回転可能となる。
【００３９】
さて、図４に示すように、感光体ドラム１０２ａの長手方向の一方端部には、カップリング凹部１２２ａが設けられている。このカップリング凹部１２２ａは、回転中心軸に対して傾斜した（ねじれた）内周歯が形成されている。また、装置本体１０１側の駆動伝達
部品であるカップリング凸部１２３ａは、感光体ギア１２４と一体となって回転する感光体回転軸１２３の端面に設けられている。このカップリング凸部１２３ａには、回転中心軸に対して傾斜する（ねじれる）とともにカップリング凸部１２３ａがカップリング凹部１２２ａと嵌合したときに前述した内周歯と噛み合う外周歯が形成されている。そして、外周歯と内周歯とは、カップリング凸部１２３ａによる駆動力がカップリング凹部１２２ａに伝達された際に両者が相互に引き寄せられる方向に傾斜している。
【００４０】
したがって、カップリング凸部１２３ａはねじれインボリュートスプラインのスプライン軸であり、カップリング凹部１２２ａは、ねじれインボリュートスプラインのボスである。
【００４１】
このような構成において、プロセスカートリッジが装置本体１０１に装着されてカップリング凸部１２３ａとカップリング凹部１２２ａとが嵌合し、カップリング凸部１２３ａの回転力がカップリング凹部１２２ａに伝達される際に、インボリュートスプラインの特徴からカップリング凸部１２３ａとカップリング凹部１２２ａとは自動的に調芯が行われる。
【００４２】
さらに、そのねじれ形状よりカップリング凹部１２２ａがカップリング凸部１２３ａを引き寄せる方向に力が作用して、感光体ドラム１０２ａの装置本体１０１の軸方向に対する位置及びラジアル方向の位置が安定して決まる。
【００４３】
なお、本実施の形態において、感光体ドラム１０２ａの側から見て感光体ドラム１０２ａの回転方向に対して、カップリング凹部１２２ａのねじれ方向は、カップリング凹部１２２ａの内部から入り口に向かって反対方向、またカップリング凸部１２３ａのねじれ方向は、先端から根元に向かって反対方向である。そして、カップリング凸部１２３ａの先端部又はこれと嵌合するカップリング凹部１２２ａの内周先端部分、あるいはその両方に対して面取りをすることで、両者の嵌合がスムーズに行えるようになっている。なお、面取りは、その断面が直線状でもよく、円弧状でもよい。
【００４４】
また、本実施の形態では、嵌合時にカップリング凸部１２３ａの先端とカップリング凹部１２２ａの先端とがぶつかって噛み合わなかったとしても、カップリング凹部１２２ａが回転することにより両者は瞬時に噛み合う。
【００４５】
なお、カップリング凹部１２２ａは、回転半径方向（ラジアル方向）には移動できないように位置決めされている。一方、プロセスカートリッジは、感光体ドラム１０２ａの長手方向及びその回転半径方向（ラジアル方向）に移動可能に装置本体１０１に装着されている。また、非駆動時（非画像形成時）には、カップリング凸部１２３ａとカップリング凹部１２２ａとの回転半径方向（ラジアル方向）には隙間が形成されるので、カップリング凸部１２３ａとカップリング凹部１２２ａとの嵌合や画像形成装置本体１０１に対するプロセスカートリッジの着脱が容易になる。
【００４６】
このように、実施の形態１の画像形成装置によれば、カップリング凸部１２３ａの外周歯とカップリング凹部１２２ａの内周歯とが噛み合って回転することにより自動的に調芯が行われて感光体ドラム１０２ａの位置決めを正確に行うことができるので、感光体ドラム１０２ａを高精度に回転駆動することが可能になる。
【００４７】
これにより、カップリング凹部１２２ａとカップリング凸部１２３ａとの寸法精度の誤差に起因するガタツキや回転中心のずれによる回転駆動伝達不良、ひいては感光体ドラム１０２ａの回転精度不良に伴う印字不良を未然に防止することができる。
【００４８】
また、各歯に均等に力を分担できることから、駆動力を大きくすることができる。
【００４９】
以上の説明では、感光体ドラム１０２ａにカップリング凹部１２２ａを設け、感光体回転軸１２３にカップリング凸部１２３ａを設けているが、これとは逆に、図６及び図７に示すように、感光体ドラム１０２ａにカップリング凸部１３２ａを設け、感光体回転軸１２３にカップリング凹部１３３ａを設けてもよい。
【産業上の利用可能性】
【００５０】
本発明は、駆動源からの駆動力で回転体を回転する機構構成に広く応用できる。よって、種々の回転体の回転駆動に適用できることから、回転体としては感光体ドラムに限定されるものではない。
【図面の簡単な説明】
【００５１】
【図１】本発明の実施の形態１である駆動伝達機構を備えた画像形成装置の構成を示す構成図
【図２】本発明の実施の形態１である駆動伝達機構を備えたプロセスカートリッジの構成を示す構成図
【図３】本発明の実施の形態１である駆動伝達機構を備えたプロセスカートリッジの駆動伝達系を模式的に示した図
【図４】感光体ドラムに設けられたカップリング凹部と感光体回転軸に設けられたカップリング凸部との結合関係を示す説明図
【図５】図４に示したカップリング凹部とカップリング凸部とが嵌合した状態を示す断面図
【図６】本発明の変形例としての感光体ドラムに設けられたカップリング凸部と感光体回転軸に設けられたカップリング凹部との結合関係を示す説明図
【図７】図６に示したカップリング凸部とカップリング凹部とが嵌合した状態を示す断面図
【図８】感光体ドラムと現像ローラなどの現像手段などを内包したプロセスカートリッジの駆動伝達系を模式的に示した図
【符号の説明】
【００５２】
１０１    装置本体
１０２，１０３，１０４，１０５    プロセスカートリッジ
１０２ａ，１０３ａ，１０４ａ，１０５ａ    感光体ドラム（回転体）
１２２ａ    カップリング凹部
１２３    感光体回転軸（軸支手段）
１２３ａ    カップリング凸部
１３２ａ    カップリング凸部
１３３ａ    カップリング凹部
【図１】
2006084622.tif 000003
【図２】
2006084622.tif 000004
【図３】
2006084622.tif 000005
【図４】
2006084622.tif 000006
【図５】
2006084622.tif 000007
【図６】
2006084622.tif 000008
【図７】
2006084622.tif 000009
【図８】
2006084622.tif 000010